(57)【要約】      （修正有）【課題】緊急警報放送の受信を検出したときに、緊急警報放送の受信を検出したことを通報する電気機器の内で、必要な電気機器のみを起動して、２次災害の発生や緊急警報放送が放送された地域の消費電力の増大を防ぐ。【解決手段】放送信号から緊急警報信号を検出することによって受信機６を起動するＴＭＣＣ信号処理部５０は、放送信号から緊急警報信号を検出する緊急警報放送検出部３と、ＴＭＣＣ信号処理部５０の近傍にヒトの存在を検出するヒト検出装置２とを備え、緊急警報放送検出部３が緊急警報信号を検出し、かつヒト検出装置２がヒトの存在を検出した場合に電源スイッチ制御信号生成部３０によって、受信機６を起動する電源スイッチ制御信号を生成する。電源スイッチ４は、電源スイッチ制御信号にしたがってオンになり、受信機６が起動する。【選択図】図１
2008072286.tif 000002
【特許請求の範囲】
【請求項１】
放送信号から緊急警報信号を検出することによって電気機器を起動する電気機器起動装置であって、
前記放送信号から前記緊急警報信号を検出する緊急警報信号検出手段と、
当該電気機器起動装置の近傍にヒトの存在を検出するヒト検出手段と、
前記緊急警報信号検出手段が前記緊急警報信号を検出し、かつ前記ヒト検出手段が前記ヒトの存在を検出した場合に、前記電気機器を起動する起動信号を生成する起動信号生成手段と、
を備えたことを特徴とする電気機器起動装置。
【請求項２】
前記ヒト検出手段は、伝送制御信号を含む地上デジタル放送の信号を受信する受信アンテナと、
前記受信アンテナによって受信した信号から特定のチャンネルの信号を選局する選局手段と、
前記選局手段によって選局した信号から前記伝送制御信号を検出する伝送制御信号検出手段と、
前記伝送制御信号検出手段によって検出した伝送制御信号の信号レベルを検出するレベル検出手段と、
前記レベル検出手段によって受信した信号レベルの変化を検出するレベル変化検出手段と、
前記信号レベル変化検出手段によって検出した信号レベルの変化が所定値よりも大きい場合に、前記受信アンテナの近傍にヒトの存在を検出したと判定するヒト検出判定手段と、
を備えたことを特徴とする請求項１に記載の電気機器起動装置。
【請求項３】
前記緊急警報信号検出手段及び前記ヒト検出手段への電力の供給をオン・オフする内部スイッチと、
所定の時刻になった場合又は所定の時間が経過した場合に、前記内部スイッチをオンにする間欠制御信号を発生し、前記緊急警報信号検出手段が緊急警報信号を検出しなかった場合又は前記ヒト検出手段がヒトの存在を検出しなかった場合の少なくとも何れか一方の場合に、前記内部スイッチをオフにする間欠制御信号を発生する間欠制御手段と、
を備えたことを特徴とする請求項１又は請求項２に記載の電気機器起動装置。
【請求項４】
請求項１乃至請求項３の何れか一項に記載の電気機器起動装置と、
前記電気機器起動装置によって生成される起動信号にしたがって起動する電気機器と、
前記電気機器への電力の供給をオン・オフする電源スイッチと、を備え、
前記電源スイッチは、前記起動信号にしたがってオンになることを特徴とする電気機器システム。
【請求項５】
前記起動信号を送信する起動信号送信手段と、
前記起動信号送信手段から送信された起動信号を受信して前記電源スイッチをオンにする起動信号受信手段と、
を備えたことを特徴とする請求項４に記載の電気機器システム。
【請求項６】
前記電気機器は、地上デジタル放送を受信する受信機であることを特徴とする請求項４又は請求項５に記載の電気機器システム。
【請求項７】
発光手段又は加振手段の少なくとも何れか一方を有する通報手段を備え、
前記通報手段は、前記電源スイッチがオンになることによって電力を供給されることを特徴とする請求項６に記載の電気機器システム。
【発明の詳細な説明】
【技術分野】
【０００１】
本発明は、放送電波から緊急警報信号を検出し、緊急警報信号を受信したときに電気機器を起動する電気機器起動装置及びその電気機器起動装置を備えた電気機器システムに関する。
【背景技術】
【０００２】
現在、アナログ放送・デジタル放送を問わず緊急時には緊急警報放送が送信されるが、緊急警報放送専用の受信機が存在し、その専用の受信機は緊急警報放送の受信によって電源の自動制御が可能である。緊急警報放送の自動受信機能がない通常の受信機であっても、受信機の主電源が入っており視聴可能な状態であれば、緊急警報の警報音や災害情報を受信することができる。また、普及台数は少ないが、緊急警報放送を自動受信する機能を内蔵した通常のテレビ受信機あるいはラジオ受信機がある。
【０００３】
例えば、特許文献１には、地上デジタル放送を受信して、緊急警報放送による受信機の起動を自動制御するために、地上デジタル放送を構成する信号の一つである伝送制御信号（ＴＭＣＣ，Transmission and Multiplexing Configuration and Control）中の緊急警報放送用起動フラグを受信できるように、受信機の復調系統を通電状態で待機させておき、受信した緊急警報放送用起動フラグが緊急警報放送であることを確認すると、受信機の主電源を自動的に投入し、緊急警報放送を視聴可能にするテレビ受信機が記載されている。
【特許文献１】特開２００５−２９５０５３号公報（段落００２１〜段落００２３、図３）
【発明の開示】
【発明が解決しようとする課題】
【０００４】
しかしながら、この自動制御が可能な受信機が普及し、放送局から緊急警報放送が送信されたとすると、その地域内に設置された全受信機の電源が一斉に入ることになる。そうすると、例えば、休日や夜間においては、無人の会社や店に設置された受信機までが起動するため、地震などによる影響でその設置環境が変化し、場合によっては火災などの２次災害を引き起こす危険性がある。また、無用の受信機まで電源が入るため、その地域内の消費電力が増大する可能性がある。
【０００５】
そこで、本発明は、緊急警報放送の受信を検出したときに、緊急警報放送の受信を検出したことを通報する電気機器の内で、必要な電気機器のみを起動して、２次災害の発生や緊急警報放送が放送された地域の消費電力の増大を防ぐことを目的とする。
【課題を解決するための手段】
【０００６】
前記した目的を達成するために請求項１に記載の電気機器起動装置は、放送信号から緊急警報信号を検出することによって電気機器を起動する電気機器起動装置であって、緊急警報信号検出手段と、ヒト検出手段と、起動信号生成手段とを備える構成とした。
【０００７】
かかる構成によれば、電気機器起動装置は、緊急警報信号検出手段によって放送信号から緊急警報信号を検出すると共に、ヒト検出手段によって当該電気機器起動装置の近傍にヒトの存在を検出する。そして、起動信号生成手段によって、緊急警報信号検出手段で緊急警報信号を検出し、かつヒト検出手段でヒトの存在を検出した場合に、電気機器を起動するための起動信号を生成する。
これによって、電気機器起動装置は、ヒトが近傍に存在して起動する必要のある場合にのみ電気機器を起動することができる。
【０００８】
請求項２に記載の電気機器起動装置は、請求項１に記載の電気機器起動装置において、前記ヒト検出手段は、受信アンテナと、選局手段と、伝送制御信号検出手段と、レベル検出手段と、レベル変化検出手段と、ヒト検出判定手段とを備える構成とした。
【０００９】
かかる構成によれば、ヒト検出手段は、受信アンテナによって伝送制御信号を含む地上デジタル放送の信号を受信し、選局手段によって、受信アンテナが受信した信号から特定のチャンネルの信号を選局する。次に、ヒト検出手段は、伝送制御信号検出手段によって、選局手段で選局した信号から伝送制御信号を検出し、レベル検出手段によって、伝送制御信号検出手段で検出した伝送制御信号の信号レベルを検出し、レベル変化検出手段によって、レベル検出手段で受信した信号レベルの変化を検出する。そして、ヒト検出判定手段によって、信号レベル変化検出手段で検出した信号レベルの変化が所定値よりも大きい場合に、受信アンテナの近傍にヒトの存在を検出したと判定する。
これによって、電気機器起動装置のヒト検出手段は、地上デジタル放送による放送波を利用して、ヒトの存在を検出することができる。
【００１０】
請求項３に記載の電気機器は、請求項１又は請求項２に記載の電気機器起動装置において、内部スイッチと、間欠制御手段とを備える構成とした。
【００１１】
かかる構成によれば、電気機器起動装置は、内部スイッチによって、緊急警報信号検出手段及びヒト検出手段への電力の供給をオン・オフし、間欠制御手段によって、所定の時刻になった場合又は所定の時間が経過した場合に、内部スイッチをオンにする間欠制御信号を発生する。そして、内部スイッチを、間欠制御手段が発生する間欠制御信号にしたがってオンにし、緊急警報信号検出手段で緊急警報信号を検出しなかった場合又はヒト検出手段でヒトの存在を検出しなかった場合の少なくとも何れか一方の場合に、内部スイッチをオフにする。
これによって、電気機器起動装置は、緊急警報信号検出手段及びヒト検出手段への電力の供給を間欠的に行なう。
【００１２】
請求項５に記載の電気機器システムは、請求項４に記載の電気機器システムにおいて、起動信号送信手段と、起動信号受信手段とを備える構成とした。
【００１３】
かかる構成によれば、電気機器システムは、起動信号送信手段によって、起動信号生成手段により生成された起動信号を起動信号受信手段に対して送信する。そして、起動信号受信手段によって、起動信号送信手段により送信された起動信号を受信して、電源スイッチをオンにする。
これによって、電気機器システムは、電気機器とヒト検出手段を含む電気機器起動装置とが離れた場所に設置されていても、電気機器を起動することができる。
【００１４】
請求項６に記載の電気機器システムは、請求項４又は請求項５に記載の電気機器システムにおいて、電気機器は地上デジタル放送を受信する受信機とした。
【００１５】
かかる構成によれば、電気機器システムは、緊急警報信号を検出し、かつヒトの存在を検出した場合に自動的に起動して、地上デジタル放送による緊急警報放送を受信する。
これによって、電気機器システムの近傍に存在するヒトは、緊急警報放送が放送されていることを知ることができると共に、受信機によって当該緊急警報放送を視聴することができる。
【００１６】
請求項７に記載の電気機器システムは、請求項６に記載の電気機器システムにおいて、発光手段又は加振手段の少なくとも何れか一方を有する通報手段を備える構成とした。
【００１７】
かかる構成によれば、発光手段又は加振手段の少なくとも何れか一方を有する通報手段は、電源スイッチに連動して電源がオンされる。
これによって、電気機器システムは、緊急警報信号を受信したことを、電気機器である地上デジタル放送の受信機を起動するだけでなく、フラッシュ発光などの発光手段又はバイブレータなどの加振手段によっても通報する。
【発明の効果】
【００１８】
請求項１に記載の発明によれば、電気機器起動装置は、緊急警報信号を受信した際に、近傍にヒトが存在する場合にのみ電気機器を起動することができるため、電気機器と組み合わせることで、不要な電気機器に電源が投入されることがなく、災害発生時の２次災害を防止することができ、また、緊急警報放送が放送された地域の消費電力が不必要に増大することを防止することができる。
請求項２に記載の発明によれば、電気機器起動装置は、地上デジタル放送の伝送制御信号を利用してヒトの存在を検出するため、安定した精度でヒトの存在を検出することができる。
請求項３に記載の発明によれば、電気機器起動装置は、緊急警報信号の検出及びヒト検出のための待機電力を低減することができる。
請求項４に記載の発明によれば、電気機器システムは、緊急警報信号を受信した際に、近傍にヒトが存在す場合にのみ電気機器を起動する起動信号を生成するようにしたため、不要な電気機器に電源が投入されることがなく、災害発生時の２次災害を防止することができ、また、緊急警報放送が放送された地域の消費電力が不必要に増大することを防止することができる。
請求項５に記載の発明によれば、電気機器システムは、電気機器起動装置と電気機器とを分離して構成できるため、電気機器とその電気機器を利用すべきヒトが離れた場所にいても、緊急警報信号を受信したことを知らせることができる。
請求項６に記載の発明によれば、緊急警報信号の受信を検出し、かつ近傍にヒトが存在する場合には、電気機器である地上デジタル放送の受信機が起動して緊急警報放送を視聴できるようになるため、受信機の近傍にいるヒトは、緊急警報放送を速やかに視聴することができる。
請求項７に記載の発明によれば、電気機器システムは、緊急警報信号を受信したことを発光又は振動によっても通報するため、視覚・聴覚に障害がある人にも緊急警報信号の受信を確実に知らせることができる。
【発明を実施するための最良の形態】
【００１９】
本発明において、地上デジタル放送とは、国内では社団法人電波産業会で規定されている地上デジタル音声放送の伝送方式標準規格（ＡＲＩＢ ＳＴＤ−Ｂ２９）、地上デジタルテレビジョン放送の伝送方式標準規格（ＡＲＩＢ ＳＴＤ−Ｂ３１）として標準化されている信号を想定している。
【００２０】
（第１実施形態）
（構成）
以下に本発明による電気機器起動装置を備えた電気機器システムにかかる第１実施形態について適宜図面を参照して説明する。
【００２１】
図１は、本発明による電気機器システムの第１実施形態である地上デジタル放送受信システムの構成を示すブロック図である。
図１に示すように、第１実施形態の地上デジタル放送受信システム１は、受信アンテナ２０、ヒト検出装置（ヒト検出手段）２、緊急警報放送検出部（緊急警報信号検出手段）３及び電源スイッチ制御信号生成部（起動信号生成手段）３０を有するＴＭＣＣ信号処理部（電気機器起動装置）５０と、電源スイッチ４と、受信機（電気機器）６と、受信アンテナ８と、から構成されている。
【００２２】
地上デジタル放送を放送する放送局Ｓから送信されるＵＨＦ放送電波は、受信アンテナ２０及び受信アンテナ８によって受信され、それぞれ受信信号をＴＭＣＣ信号処理部５０及び受信機６に出力される。受信アンテナ２０は、ＴＭＣＣ信号処理部５０に内蔵される室内用又は携帯用のＵＨＦアンテナである。ＴＭＣＣ信号処理部５０は、受信アンテナ２０が受信した信号に含まれるＴＭＣＣ信号を抽出し、抽出したＴＭＣＣ信号に基づいて、緊急警報放送用起動フラグ（緊急警報信号）の受信の有無を検出すると共に、抽出したＴＭＣＣ信号の信号レベルの変化に基づいて、受信アンテナ２０の近傍、すなわち地上デジタル放送受信システム１の近傍にヒトＨが存在するかどうかを検出する。そして、緊急警報信号及びヒトの存在の検出結果に基づいて、電源スイッチ制御信号生成部３０によって、電源スイッチ制御信号（起動信号）を生成し、生成した電源スイッチ制御信号を電源１０から受信機６への電力の供給をオン・オフする電源スイッチ４に出力する。
【００２３】
一方、受信機６は、地上デジタル放送を受信し、視聴するためのテレビ受信機であり、屋根やベランダ等の屋外に設置された受信アンテナ８で受信した信号から、所望のチャンネルの放送信号を選局する地上デジタル放送用のチューナ（不図示）、及びこのチューナによって取得された映像信号及び音声信号を再生する画像表示装置及び音声再生装置（不図示）などから構成される。受信機６は、電源スイッチ４を介して家庭用の商用電源等の電源１０に配線されており、受信のための電力の供給を受けるようになっている。電源スイッチ４は、ＴＭＣＣ信号処理部５０から出力される電源スイッチ制御信号にしたがってオン・オフの切り替え制御がなされる。
また、受信機６に接続される受信アンテナ８は、室内用のアンテナであってもよい。
【００２４】
なお、第１実施形態では、緊急警報信号を検出するための放送信号として、地上デジタルテレビジョン放送を受信する場合を例にして説明するが、地上デジタル音声放送の場合にも同様に適用することができるし、緊急警報信号又はこれに類する信号を発信する他の規格のデジタル放送やアナログ放送にも適用することができる。
【００２５】
また、第１実施形態においては、電気機器として、テレビ受信機（受信機６）の電源のオン・オフを制御するようにしたが、ラジオ受信機、照明機器、オーディオ機器などを用いて緊急警報信号の受信を通報するように構成してもよく、例えば、ワンセグ（１セグメント）放送を受信する機能を備えた携帯移動端末や携帯電話に適用してもよい。特に、緊急警報信号が送信される放送信号を受信し、緊急警報信号と共に放送される緊急警報放送を視聴可能に再生することができるテレビ受信機やラジオ受信機を自動的に起動することが好ましい。
【００２６】
更に、第１実施形態にかかるＴＭＣＣ信号処理部５０は、ＴＭＣＣ信号を利用するヒト検出装置２を用いて構成したが、他の方式によるヒト検出装置を用いてもよい。例えば、ヒトの発する赤外線を検知してヒトの存在を検出する赤外線センサ、ミリ波の電波を照射して反射波を受信することでヒトを検出するレーダ装置、あるいは、特開２００６−１９００５３号公報（段落００２９〜段落００３３、図４、図５）に記載されているように、ＦＭ放送などの定包絡線変調された放送波を受信アンテナで受信したときの信号レベルの変化によって、受信アンテナの近傍にヒトがいることを検知する装置などを用いることができる。
【００２７】
次に、図２を参照して第１実施形態の地上デジタル放送受信システム１（図１参照）のＴＭＣＣ信号処理部５０の構成について説明する。ここで、図２は、第１実施形態にかかるＴＭＣＣ信号処理部の構成を説明するための図であり、（ａ）はブロック図、（ｂ）は近傍にヒトが存在しない場合のレベル検出部の出力例、（ｃ）は近傍にヒトが存在する場合のレベル検出部の出力例を示す。
【００２８】
図２（ａ）に示すように、ＴＭＣＣ信号処理部（電気機器起動装置）５０は、ヒト検出装置（ヒト検出手段）２と、緊急警報放送検出部（緊急警報信号検出手段）３と、電源スイッチ制御信号生成部（起動信号生成手段）３０と、から構成されている。
【００２９】
ヒト検出装置（ヒト検出手段）２は、受信アンテナ２０と、チューナ２１と、ＴＭＣＣキャリア検出部２２と、レベル検出部２３と、レベル変化検出部２４と、ヒト検出判定部２５と、から構成されている。なお、電源は特に説明が必要な場合を除いては、図示を省略しているが、家庭用の商用電源や１次電池、２次電池などのバッテリから電力の供給を受けて駆動するように構成されている。
【００３０】
受信アンテナ２０は、放送局Ｓから送信される地上デジタル放送のＵＨＦ電波（周波数帯域：４７０ＭＨｚ〜７１０ＭＨｚ）を受信する室内用又は携帯用のＵＨＦアンテナであり、ＴＭＣＣ信号処理部５０に内蔵又は一体化して設けられる。受信アンテナ２０が受信した放送信号は、チューナ２１に出力される。
【００３１】
チューナ（選局手段）２１は、受信アンテナ２０から入力された放送信号から、所望の特定チャンネルの周波数帯域の放送信号を選局し、ＴＭＣＣキャリア検出部２２に出力する。
【００３２】
ＴＭＣＣキャリア検出部（伝送制御信号検出手段）２２は、チューナ２１から入力された所望の特定チャンネルの放送信号からＴＭＣＣ信号を検出する。
【００３３】
ＴＭＣＣキャリア検出部２２は、検出したＴＭＣＣ信号をレベル検出部２３及び緊急警報放送検出部３に出力する。
【００３４】
レベル検出部（レベル検出手段）２３は、ＴＭＣＣキャリア検出部２２が検出したＴＭＣＣ信号の信号レベルを検出し、検出した信号レベルをレベル変化検出部２４に出力する。
【００３５】
レベル変化検出部（レベル変化検出手段）２４は、レベル検出部２３が検出した信号レベルと、前回検出した信号レベルとの差分値を算出し、信号レベルの変化（レベル変化）を検出する。検出した信号レベルの変化は、ヒト検出判定部２５に出力する。
【００３６】
ヒト検出判定部（ヒト検出判定手段）２５は、レベル変化検出部２４が検出した信号レベルの変化に基づいて、例えば、信号レベルの変化が実験的に求めた所定値よりも大きい場合に近傍にヒトＨが存在すると判定して、判定結果をヒト検出信号として電源スイッチ制御信号生成部３０に出力する。
なお、ヒト検出の判定の際に、１時点の信号レベルの変化値のみを参照するのではなく、所定期間の複数の信号レベルを記憶しておき、その所定期間のレベル変化のパターンからヒトＨの存在の有無を判定するようにしてもよい。１時点の信号レベルの変化値だけでなく、一定期間のレベル変化のパターンを参照することで、特にノイズ等によりヒトＨが存在しないにもかかわらず存在すると誤判定することを防止し、ヒト検出の精度を向上することができる。
【００３７】
緊急警報放送検出部（緊急警報信号検出手段）３は、ヒト検出装置２のＴＭＣＣキャリア検出部２２によって検出されたＴＭＣＣ信号から、緊急警報放送用起動フラグ（緊急警報信号）を抽出して、電源スイッチ制御信号生成部３０に出力する。
【００３８】
ここで、図９を参照して、ＴＭＣＣ信号のビット構成について説明する。図９は、ＴＭＣＣ信号のビット構成を示す図である。図９に示したように、ＴＭＣＣ信号は２０４ビットの信号（Ｂ０〜Ｂ２０３）として構成されており、ＴＭＣＣ信号を受信し復号するためのシステム制御の情報（ＴＭＣＣシンボルのための復調基準信号Ｂ０、同期信号Ｂ１〜Ｂ１６、セグメント形式識別Ｂ１７〜Ｂ１９）と、２０４ビット中１０２ビットの信号を用いたＴＭＣＣ情報（システム識別Ｂ２０〜Ｂ２１、伝送パラメータ切替指標Ｂ２２〜Ｂ２５、緊急警報放送用起動フラグＢ２６など）と、誤り訂正用のパリティビットＢ１２２〜Ｂ２０３とから構成されている。
【００３９】
図２に戻って説明を続ける。
緊急警報放送検出部３は、ＴＭＣＣキャリア検出部２２から入力されたＴＭＣＣ信号から緊急警報放送用起動フラグＢ２６（図９参照）を抽出して、電源スイッチ制御信号生成部３０に出力する。緊急警報放送用起動フラグＢ２６は１（緊急警報放送あり）か０（緊急警報放送なし）かの値を有する緊急警報信号である。
【００４０】
なお、第１実施形態では、緊急警報放送検出部３は、放送波からＴＭＣＣ信号を検出するための回路をヒト検出装置２の回路と共有するように構成したが、ヒト検出装置２が、放送波を利用しない方式によってヒト検出する場合は、受信アンテナ２０、チューナ２１、ＴＭＣＣキャリア検出部２２を緊急警報放送検出部３に含めて構成すればよい。この場合において、更に、電源のオン・オフを制御する対象として受信機６を用いる場合は、受信機６の受信アンテナ８及び図示していないチューナを緊急警報放送検出部３と共用するようにし、このチューナにはＴＭＣＣ信号を含む放送信号を常時選局できるように待機電力を供給しておき、受信機６の他の構成部への電力の供給を、電源スイッチ４によって制御するように構成してもよい。
【００４１】
電源スイッチ制御信号生成部（起動信号生成手段）３０は、緊急警報放送検出部３から入力された緊急警報信号と、ヒト検出判定部２５から入力されたヒト検出信号とに基づいて、電源スイッチ制御信号（起動信号）を生成する。
【００４２】
ここでは、緊急警報信号が１（緊急警報放送あり）の場合であって、かつヒト検出信号が１（ヒトの存在を検出）の場合に、電源スイッチ制御信号として電源スイッチ４をオンにする信号を電源スイッチ４に出力する。その他の場合は、電源スイッチ制御信号は出力せずに、電源スイッチ４は現在の状態を維持する。
なお、この場合において、現在の状態を維持するのではなく、電源スイッチ制御信号生成部３０は、電源スイッチ４をオフにする信号を電源スイッチ４に出力するようにしてもよい。第１実施形態では、電源スイッチ制御信号生成部３０として、２入力のＡＮＤ回路を用いることができる。
【００４３】
次に、図２及び図４を参照して、第１実施形態におけるヒト検出装置２によるヒト検出の原理について説明する。ここで、図４は、ヒト検出装置のレベル検出部が検出した信号レベルの変化の様子を示したグラフである。
【００４４】
図２（ａ）に模式的に示したように、放送局Ｓから送信される電波は、経路ａによって示すように受信アンテナ２０に到達して受信される。しかし、ヒトＨの身体はＵＨＦ電波を反射するため、受信アンテナ２０の近傍にヒトＨが存在すると、放送局Ｓから送信された電波の一部がヒトＨに反射して、経路ｂによって受信アンテナ２０に到達する。あるいは、ヒトＨによって電波が反射されるため、届くべき電波が受信アンテナ２０に到達しない場合もある。その結果、放送局Ｓから送信されて受信アンテナ２０に到達する電波は、ヒトＨによって擾乱され、受信レベルが変化することになる。
【００４５】
図４は、ヒトＨの移動によって、受信電力レベルＥ（信号レベル）が変化する様子を示している。時間ｔが０〜０．５分の間及び１．７〜２．２分の間のヒトＨが静止している状態の期間は、電波の受信環境が変化しないため、受信電力レベルＥはほとんど変化していない。これに対して、時間ｔが０．５〜１．７分の間及び２．２〜３分の間のヒトＨが動いている状態の期間は、電波の受信環境が変化するため、受信電力レベルＥが大きく変化していることがわかる。
【００４６】
このように、受信アンテナ２０の近傍でヒトＨが動いていると、受信アンテナ２０によって受信される信号レベルが大きく変化することを利用して、ヒトＨの存在を検出するのが第１実施形態におけるヒト検出装置２によるヒト検出の原理である。
【００４７】
そのため、図２（ｂ）に示すように、ヒトＨが近傍に存在しない場合は、レベル検出部２３が検出する受信電力レベルＥはほとんど変化せず、図２（ｃ）に示すように、ヒトＨが近傍に存在して動いている場合は、レベル検出部２３が検出する受信電力レベルＥは大きく変化する。そして、ヒト検出判定部２５は、この受信した信号レベルの変化の大小あるいは変化パターンに基づいて、受信アンテナ２０の近傍に（動いている）ヒトＨが存在するかどうかを判定することで、ヒトの存在の検出を行うことができる。
【００４８】
更に、第１実施形態におけるヒト検出装置２は、放送波として地上デジタル放送のＴＭＣＣ信号を受信する信号レベルを用いるため、ＦＭ変調されたアナログ放送を利用した場合に比べて、低いＣ／Ｎ（キャリア／ノイズ比）においても安定して受信が可能であり、所望の特定チャンネルの放送波以外の放送波との干渉を排除できる。そのため、地上デジタル放送による放送波を用いることにより、安定した精度でヒト検出を行うことができる。
【００４９】
ここで、ＴＭＣＣ信号の信号レベル及び信号レベル変動の検出方法について説明する。
まず、チューナ２１で選局された特定チャンネルに含まれるサブキャリア信号の中からＴＭＣＣ信号のキャリア部分を直交検波することによって抽出し、自動周波数調整を行った後に、相関演算してＴＭＣＣ信号を抽出し、１シンボル遅らせたＴＭＣＣ信号との遅延検波を行う。
このとき、相関演算によって求められたＴＭＣＣ信号を
Ｓ１＝Ｓｉ１＋ｊＳＱ１      ・・・  式（１）
Ｓ０を１シンボル遅らせた複素共役なＴＭＣＣ信号を
Ｓ０＊＝Ｓｉ０−ｊＳＱ０      ・・・  式（２）
とすると、遅延検波後の信号Ｃ１は式（１）、式（２）より
Ｃ１＝Ｓ１・Ｓ０＊
＝（Ｓｉ１＋ｊＳＱ１）・（Ｓｉ０−ｊＳＱ０）
＝Ｓｉ１・Ｓｉ０−ｊＳｉ１・ＳＱ０＋ｊＳｉ０・ＳＱ１＋ＳＱ１・ＳＱ０
＝（Ｓｉ１・Ｓｉ０＋ＳＱ１・ＳＱ０）＋ｊ（Ｓｉ０・ＳＱ１−Ｓｉ１・ＳＱ０）
・・・  式（３）
となる。
その後、式（３）で得た信号Ｃ１の絶対値を求めると、
｜Ｃ１｜＝√（（Ｓｉ１・Ｓｉ０＋ＳＱ１・ＳＱ０）２＋（Ｓｉ０・ＳＱ１−Ｓｉ１・ＳＱ０）２）
・・・  式（４）
となり、信号レベルが得られる。
【００５０】
実数であるこの信号レベルを、時間Ｔ（例えば１秒）だけ遅らせた時点の信号レベルと比較する（差分を求める）ことで振幅の変化量、すなわち受信信号の信号レベルの変化を検出することができる。
【００５１】
次に、図３を参照して、前記した信号レベル及び信号レベルの変化を検出するための、ヒト検出装置２のＴＭＣＣキャリア検出部２２、レベル検出部２３、レベル変化検出部２４及びヒト検出判定部２５の詳細な構成について説明する。ここで、図３は、ヒト検出装置のＴＭＣＣキャリア検出部、レベル検出部、レベル変化検出部及びヒト検出判定部の構成を示すブロック図である。
【００５２】
ＴＭＣＣキャリア検出部２２は、直交検波部２２０と、ＡＦＣ（Automatic Frequency Control）２２１と、相関演算部２２２と、ＴＭＣＣキャリア基準波形発生部２２３と、遅延検波部２２４と、から構成される。更に、遅延検波部２２４は、１シンボル遅延部２２５と、複素共役処理部２２６と、乗算器２２７と、から構成される。
【００５３】
直交検波部２２０は、チューナ２１（図２参照）によって選局された放送信号のサブキャリア信号中からＴＭＣＣ信号のキャリア部分を直交検波によって抽出し、ＴＭＣＣキャリアを復調して、Ｉ成分とＱ成分とからなる複素信号をＡＦＣ２２１に出力する。
【００５４】
ＡＦＣ２２１は、直交検波部２２０から入力されたＴＭＣＣキャリアの複素信号の周波数を調整し、相関演算部２２２に出力する。
【００５５】
相関演算部２２２は、ＡＦＣ２２１から入力されたＴＭＣＣキャリアの複素信号と、ＴＭＣＣキャリア基準波形発生部２２３から入力されたＴＭＣＣキャリアの基準波形とを相関演算して、ＴＭＣＣ信号を抽出し、遅延検波部２２４に出力する。
【００５６】
ＴＭＣＣキャリア基準波形発生部２２３は、チューナ２１（図２参照）で選局したチャンネルに対応して、検出対象とするＴＭＣＣキャリアの基準波形を発生し、相関演算部２２２に出力する。
【００５７】
遅延検波部２２４は、相関演算部２２２から入力されたＴＭＣＣ信号を遅延検波する。すなわち、ＴＭＣＣ信号と、当該ＴＭＣＣ信号を１シンボル遅延部２２５によって１シンボル分遅延し、複素共役処理部２２６によって複素共役を算出したＴＭＣＣ信号とを、乗算器２２７によって乗算しＴＭＣＣ信号を復調する。そして、復調したＴＭＣＣ信号をレベル検出部２３及び緊急警報放送検出部３（図２参照）に出力する。
【００５８】
レベル検出部２３は、ＴＭＣＣキャリア検出部２２の遅延検波部２２４によって得られた複素信号であるＴＭＣＣ信号の絶対値を演算して、受信したＴＭＣＣ信号の信号レベルを検出し、レベル変化検出部２４に出力する。
【００５９】
レベル変化検出部２４は、遅延部２４０と、減算器２４１と、絶対値演算部２４２と、から構成され、レベル検出部２３から入力された信号レベルの変化を検出する。
遅延部２４０は、入力された信号レベル値を、例えば、１秒間遅延する遅延素子であり、所定のタイミングだけ遅延した信号レベルを減算器２４１に出力する。
減算器２４１は、レベル検出部２３から入力された信号レベルを直接入力すると共に、遅延部２４０によって所定のタイミングだけ遅延された信号レベルを入力し、両者の差分を算出して、算出した差分を絶対値演算部２４２に出力する。
絶対値演算部２４２は、減算器２４１から入力された差分の絶対値を演算する。
レベル変化検出部２４は、絶対値演算部２４２によって演算した信号レベルの差分の絶対値、すなわち信号レベルの変化をヒト検出判定部２５に出力する。
【００６０】
ヒト検出判定部２５は、比較器２５０と、基準レベル設定部２５１と、から構成され、レベル変化検出部２４から入力された信号レベルの変化に基づき、ヒトＨの存在を検出したかどうかを判定し、その判定結果であるヒト検出信号を電源スイッチ制御信号生成部３０（図２参照）に出力する。
基準レベル設定部２５１は、ヒトＨの存在を検出したかどうかを判定するための基準レベル（閾値）を設定するための、例えば、半導体メモリからなる記憶手段である。半導体メモリの代わりにディップスイッチなどを用いて設定するようにしてもよい。
比較器２５０は、レベル変化検出部２４から入力された信号レベルの変化と、基準レベル設定部２５１に設定された基準レベルとを比較し、ヒト検出信号として、信号レベルの変化が基準レベルよりも大きい場合に、ヒトＨの存在を検出したことを示す１を出力し、他の場合には、ヒトを検出しなかったことを示す０を出力する。
【００６１】
（動作）
次に、図１０を参照（適宜図１及び図２参照）して、第１実施形態の地上デジタル放送受信システム１の動作について説明する。ここで、図１０は、第１実施形態の地上デジタル放送受信システムの処理の流れを示すフローチャートである。
【００６２】
地上デジタル放送受信システム１は、受信アンテナ２０によって、放送局Ｓから送信される地上デジタル放送の放送波を受信し、受信した放送波から、チューナ２１によって、所望のチャンネルの周波数帯域の放送波を選局する（ステップＳ１１）。
【００６３】
次に、ＴＭＣＣキャリア検出部２２によって、チューナ２１によって選局された放送波から、ＴＭＣＣキャリアを検出し（ステップＳ１２）、ＴＭＣＣキャリア検出部２２で検出したＴＭＣＣキャリアから、緊急警報放送検出部３によって、緊急放送用起動フラグ（緊急警報信号）を抽出する（ステップＳ１３）と共に、ヒト検出装置２の後段のレベル検出部２３、レベル変化検出部２４及びヒト検出判定部２５を順次用いて受信アンテナ２０の近傍にヒトＨの存在を検出したかどうかを判定し、ヒト検出信号を生成する（ステップＳ１４）。
【００６４】
そして、電源スイッチ制御信号生成部３０によって、緊急警報信号が緊急警報放送を受信したことを示し、かつヒト検出信号がヒトＨの存在を検出したことを示していると判定した場合は（ステップＳ１５でＹｅｓ）、電源スイッチ４をオンに切り替え、電源１０から受信機６に電力を供給して受信機６を起動し、受信機６によって緊急警報放送を受信して視聴可能に再生する（ステップＳ１６）。
なお、受信機６を起動する際に、緊急警報放送検出部３によって緊急警報信号を検出したチャンネル情報を、ＴＭＣＣ信号処理部５０から受信機６の図示しないチューナに送信し、受信機６によって当該チャンネルを選局して放送を受信するようにしてもよい。これによって、緊急警報放送を放送中のチャンネルを確実に選局して視聴できるようにすることができる。
【００６５】
一方、電源スイッチ制御信号生成部３０によって、少なくとも緊急警報放送を受信しないか、ヒトＨの存在を検出しないと判定した場合は（ステップＳ１５でＮｏ）、ステップＳ１１に戻り、ステップＳ１１からステップＳ１５までの処理を繰り返し実行する。
【００６６】
なお、ステップＳ１５においてＮｏの場合は、電源スイッチ４をオフにする制御は行わずに、そのままの状態を維持する。これによって、例えば、在室中のヒトＨが受信機６によって放送番組を視聴中に電源を切られて視聴を中断されることがない。
【００６７】
次に、図１１を参照（適宜図２参照）して、ヒト検出装置２の動作について説明する。ここで、図１１は、第１実施形態のヒト検出装置の処理の流れを示すフローチャートである。
【００６８】
ヒト検出装置２は、受信アンテナ２０によって、放送局Ｓから送信される地上デジタル放送の放送信号を受信し、受信した放送信号から、チューナ（選局手段）２１によって、所望の特定チャンネルの周波数帯の放送波を選局する（ステップＳ２１）。
次に、ＴＭＣＣキャリア検出部２２によって、選局された放送波からＴＭＣＣキャリアを検出し、ＴＭＣＣ信号を抽出する（ステップＳ２２）。
続いて、レベル検出部２３によって、検出されたＴＭＣＣ信号の信号レベルを検出し（ステップＳ２３）、続いて、レベル変化検出部２４によって、信号レベルの変化を検出する（ステップＳ２４）。
そして、ヒト検出判定部２５によって、受信アンテナ２０の近傍のヒトＨの存在を検出したかどうかを判定する（ステップＳ２５）。
【００６９】
このようにして、第１実施形態の地上デジタル放送受信システム１は、緊急警報放送の受信を検出した際に、近傍にヒトＨの存在を検出した場合にのみ受信機６を自動的に起動し、緊急警報放送を視聴できるようにしたため、災害発生時の不用意な電源投入による２次災害の発生を防止すると共に、緊急警報放送が送信された地域の消費電力の増大を防止することができる。
【００７０】
（第２実施形態）
（構成）
次に、図５を参照して、第２実施形態にかかるＴＭＣＣ信号処理部（電気機器起動装置）５０の構成について説明する。ここで、図５は、第２実施形態にかかるＴＭＣＣ信号処理部の構成を説明するための図であり、（ａ）はブロック図、（ｂ）は近傍にヒトが存在しない場合のレベル検出部の出力例、（ｃ）は近傍にヒトが存在する場合のレベル検出部の出力例を示す。
【００７１】
図５（ａ）に示すように、ＴＭＣＣ信号処理部（電気機器起動装置）５０は、ヒト検出装置（ヒト検出手段）２、緊急警報放送検出部（緊急警報信号検出手段）３及び電源スイッチ制御信号生成部（起動信号生成手段）３０からなる信号処理部５０ａと、タイマ（間欠制御手段）２６と、内部電源スイッチ（内部スイッチ）２７と、電源２８と、から構成されている。第２実施形態のＴＭＣＣ信号処理部５０は、図１に示した第１実施形態の地上デジタル放送受信システム１のＴＭＣＣ信号処理部５０の代わりに用いられて、地上デジタル放送受信システム１を構成する。
【００７２】
信号処理部５０ａは、図２に示した第１実施形態のＴＭＣＣ信号処理部５０に相当し、第２実施形態では、信号処理部５０ａが、更にタイマ２６と内部電源スイッチ２７と電源２８とを備えている点が異なる。信号処理部５０ａについては、第１実施形態のＴＭＣＣ信号処理部５０と同様であるので、同じ符号を付して詳細な説明は適宜省略する。
【００７３】
タイマ（間欠制御手段）２６は、電源２８から常時電力の供給を受け、時刻又は経過時間を取得するためのクロックを備え、所定の時刻になるか又は所定の時間経過すると信号処理部５０ａを起動するための間欠制御信号を発生し、内部電源スイッチ２７にスイッチをオンにする信号を出力する。
【００７４】
また、タイマ２６には、ＴＭＣＣキャリア検出部２２からＴＭＣＣキャリアを検出したかどうかを示すＴＭＣＣキャリア検出信号が入力されると共に、電源スイッチ制御信号生成部３０から電源スイッチ制御信号（起動信号）が入力される。タイマ２６は、ＴＭＣＣキャリア検出信号又は電源スイッチ制御信号に基づいて、内部電源スイッチ２７にスイッチをオフにする信号を出力する。
【００７５】
内部電源スイッチ（内部スイッチ）２７は、タイマ２６から入力される制御信号にしたがって、スイッチのオン・オフの切り替えを行い、信号処理部５０ａへの電力の供給を制御する。
【００７６】
電源２８としては、家庭用の商用電源や、１次電池又は２次電池などのバッテリを用いることができる。なお、ＴＭＣＣ信号処理部５０を、電源スイッチ４の制御対象となる受信機６（図１参照）等の電気機器の本体に内蔵して一体化した構成とする場合は、電気機器の本体から電力の供給を受けるようにしてもよい。また、電気機器の本体とは独立した構成とし、設置場所を任意に変更できるようにする場合には、電源２８としてバッテリを内蔵することが好ましい。
【００７７】
ＴＭＣＣキャリア検出部２２は、第１実施形態と同様に、ＴＭＣＣ信号を検出してレベル検出部２３に出力すると共に、ＴＭＣＣキャリアを検出したかどうかを確認し、ＴＭＣＣキャリアを検出したかどうかを示すＴＭＣＣキャリア検出信号をタイマ２６に出力する。
【００７８】
なお、選局された信号中にＴＭＣＣ信号が含まれるかどうかは、例えば、ＴＭＣＣキャリア検出部２２によって、ＴＭＣＣ信号のＢ１〜Ｂ２１（図９参照）を確認し、それらが正常に受信された場合に、地上デジタル放送のＴＭＣＣ信号が受信されたものと確認することができる。
【００７９】
電源スイッチ制御信号生成部（起動信号生成手段）３０は、第１実施形態と同様に、緊急警報信号及びヒト検出信号に基づいて、電源スイッチ制御信号（起動信号）を生成して、電源スイッチ４に出力すると共に、タイマ２６にも出力する。
【００８０】
（動作）
次に、図１２を参照（適宜図１及び図５参照）参照して、第２実施形態のＴＭＣＣ信号処理部５０を用いた地上デジタル放送受信システム１の動作について説明する。ここで、図１２は、第２実施形態のＴＭＣＣ信号処理部を用いた地上デジタル放送受信システムの処理の流れを示すフローチャートである。
【００８１】
ＴＭＣＣ信号処理部５０は、タイマ２６によって、所定の時間が経過したかどうかを確認し（ステップＳ３１）、所定の時間経過した場合に（ステップＳ３１でＹｅｓ）、内部電源スイッチ２７に対して間欠制御信号を出力し、内部電源スイッチ２７をオンにして信号処理部５０ａに電力を供給する（ステップＳ３２）。
一方、所定の時間経過していない場合は（ステップＳ３１でＮｏ）、所定の時間が経過するまで確認動作を繰り返す。
【００８２】
ステップＳ３２で、信号処理部５０ａに電力が供給されると、ＴＭＣＣ信号処理部５０は、チューナ２１によって、所望の特定チャンネルの放送波を選局し（ステップＳ３３）、ＴＭＣＣキャリア検出部２２によって、ＴＭＣＣキャリアを検出したかどうかを確認する（ステップＳ３５）。ＴＭＣＣキャリアが検出された場合は（ステップＳ３５でＹｅｓ）、緊急警報放送検出部３によって緊急警報放送用起動フラグＢ２６を抽出（緊急警報信号を検出）する（ステップＳ３６）と共に、ヒト検出装置２によって、ヒトＨの存在を検出する（ステップＳ３７）。
【００８３】
一方、ＴＭＣＣキャリアが検出されなかった場合は（ステップＳ３５でＮｏ）、タイマ２６によって、内部電源スイッチ２７をオフにして（ステップＳ４０）、ステップＳ３１に戻って、次の間欠制御信号が出力されるまでの所定の時間が経過したかどうかを確認する。
【００８４】
緊急警報信号の検出（ステップＳ３６）及びヒト検出（ステップＳ３７）が終了すると、電源スイッチ制御信号生成部３０によって、緊急警報信号が緊急警報放送を受信したことを示し、かつヒト検出信号がヒトＨの存在を検出したことを示していると判定した場合は（ステップＳ３８でＹｅｓ）、電源スイッチ４をオンに切り替え、電源１０から受信機６に電力を供給して受信機６を起動し、受信機６によって受信アンテナ８で受信した緊急警報放送を視聴可能に再生する（ステップＳ３９）。
【００８５】
一方、電源スイッチ制御信号生成部３０によって、少なくとも緊急警報放送を受信しないか、ヒトＨの存在を検出しないと判定した場合は（ステップＳ３８でＮｏ）、タイマ２６によって、内部電源スイッチ２７をオフにして（ステップＳ４０）、ステップＳ３１に戻って、次の間欠制御信号が出力されるまでの所定の時間が経過したかどうかを確認する。
【００８６】
図５の（ｂ）及び（ｃ）は、それぞれ、受信アンテナ２０の近傍にヒトＨが存在しない場合と、存在する場合における、レベル検出部２３によって検出した信号レベルの出力の様子を示したグラフである。これらの図に示すように、信号レベルはタイマ２６による起動信号の発生タイミングに合わせて断続的に出力されている。
なお、起動信号の発生間隔は、ヒト検出を精度よく行うために、１秒から数秒（最大で１０秒位）の範囲にすることが好ましい。
【００８７】
このように、第２実施形態にかかるＴＭＣＣ信号処理部５０は、緊急警報信号を検出する緊急警報放送検出部３及びヒト検出装置２を、タイマ２６を用いて間欠的に起動するように制御したため、緊急警報放送の受信を確認するための待機電力の消費を必要最小限にすることができる。このような構成は、電源容量の制限されたバッテリを電源２８として用いた場合に特に有用である。
【００８８】
（第３実施形態）
（構成）
次に、図６を参照して、第３実施形態の地上デジタル放送受信システム（電気機器システム）１の構成について説明する。ここで、図６は、第３実施形態の地上デジタル放送受信システムの構成を示すブロック図である。
【００８９】
図６に示すように、第３実施形態の地上デジタル放送受信システム１は、受信アンテナ２０と、ＴＭＣＣ信号処理部（電気機器起動装置）５０と、電源スイッチ４と、受信アンテナ８と、受信機（電気機器）６と、中央処理部１２と、からなり、電源１０から電力を供給されるように構成されている。
【００９０】
図６に示した第３実施形態の地上デジタル放送受信システム１と、図１に示した第１実施形態の地上デジタル放送受信システム１と同じ符号を付した構成要素とは、同様の機能を果たすので、詳細な説明は適宜省略する。
図６に示した第３実施形態の地上デジタル放送受信システム１は、地上デジタル放送を受信して視聴するための受信機６と、ヒトＨを検出するためのＴＭＣＣ信号処理部５０とが一体的に構成されており、例えば、ＴＭＣＣ信号処理部５０は、受信機６の筐体内に内蔵される。また、中央処理部１２は、ＣＰＵ（中央演算処理装置）を含むコンピュータであり、例えば、図示しない操作部からの入力情報にしたがって、受信機６の音量や画像調整の制御、ＴＭＣＣ信号処理部５０が受信するチャンネルの選択などの受信条件の変更を行うものである。
なお、ＴＭＣＣ信号処理部５０としては、図２に示した第１実施形態のＴＭＣＣ信号処理部５０又は図５に示した第２実施形態のＴＭＣＣ信号処理部５０などを用いることができる。
【００９１】
受信アンテナ２０は、当該受信アンテナ２０の近傍にヒトＨが存在するかどうかを判断するために用いられるため、室内に設置され、例えば、ＴＭＣＣ信号処理部５０に内蔵される。一方、受信アンテナ８は、受信機６によって放送を視聴するために用いられ、屋根やベランダなどの屋外に設置されるが、室内用の受信アンテナを用いてもよい。受信アンテナ８として屋内設置型のアンテナを用いる場合や、受信機６が携帯型の受信機である場合は、受信アンテナ２０と受信アンテナ８を共用し、１つの受信アンテナとしてもよい。
【００９２】
また、受信アンテナ８を屋外に設置する場合は、受信アンテナ８が受信する経路ｃの電波は、受信機６の近傍に存在しているヒトＨによって擾乱されないため、通常は信号レベルの変化が少なく、安定している。そこで、受信機６においても、ＴＭＣＣ信号処理部５０と同様のヒト検出判定部２５（図２参照）を備え、ＴＭＣＣ信号処理部５０及び受信機６によってヒト検出を行い、ＴＭＣＣ信号処理部５０の方のみがヒトＨを検出した場合に、ＴＭＣＣ信号処理部５０によるヒト検出結果を有効なものとするようにしてもよい。
【００９３】
これは、屋外に設置された受信アンテナ８によって受信したＴＭＣＣ信号に基づき、受信機６によってヒトＨの存在を検出した場合は、ヒトＨの存在のためのではなく、例えば、災害発生などで近隣の放送局Ｓに障害が発生した場合や、活発な太陽活動の影響によって放送電波に影響を与えているような場合が考えられるからである。このような場合は、ヒト検出装置２によるヒト検出結果の信頼性が低下している可能性が高く、ヒト検出結果を無視した方が、フェイルセーフの考えから安全な場合が考えられる。このため、適宜ヒト検出機能をオフするようなモードを設けるようにしてもよい。
【００９４】
（動作）
第３実施形態の地上デジタル放送受信システム１は、用いるＴＭＣＣ信号処理部５０の形態に対応し、第１実施形態又は第２実施形態の地上デジタル放送受信システム１と同様に動作するので、詳細な説明は省略する。
【００９５】
（第４実施形態）
（構成）
次に、図７を参照して、第４実施形態の地上デジタル放送受信システム（電気機器システム）１の構成について説明する。ここで、図７は、第４実施形態の地上デジタル放送受信システムの構成を示すブロック図である。
【００９６】
図７に示すように、第４実施形態の地上デジタル放送受信システム１は、ＴＭＣＣ信号処理部（電気機器起動装置）５０と、受信機（電気機器）６を含む受信装置６０と、から構成されており、受信装置６０は、電源１０から電力を供給されるように構成されている。
【００９７】
図７に示した第４実施形態の地上デジタル放送受信システム１と、図１に示した第１実施形態の地上デジタル放送受信システム１と同じ符号を付した構成要素とは、同様の機能を果たすので、適宜説明を省略する。
【００９８】
図７に示した第４実施形態の地上デジタル放送受信システム１は、地上デジタル放送を受信して視聴するための受信機６を含む受信装置６０と、緊急警報放送検出部３及びヒト検出装置２（例えば、図２参照）を含むＴＭＣＣ信号処理部５０とは分離して構成されており、例えば、受信装置６０は特定の部屋に据え置かれ、ＴＭＣＣ信号処理部５０は移動可能な形態、例えば、テレビ受信機のリモコン装置のような形態である。あるいは、リモコン装置に組み込まれた形態や、目覚まし時計やラジオ受信機に組み込まれた形態で実装することもできる。
もちろん、これらの形態に限定されるものではなく、受信装置６０とＴＭＣＣ信号処理部５０とが、例えば、居間と寝室のように離れた場所に設置可能な形態であればよい。
【００９９】
ＴＭＣＣ信号処理部（電気機器起動装置）５０は、受信アンテナ２０と、信号処理部５０ａと、電源２８と、電源スイッチ制御信号送信部（起動信号送信手段）２９とから構成される。
【０１００】
受信アンテナ２０は、地上デジタル放送を受信するためのＵＨＦアンテナであり、受信した放送信号を信号処理部５０ａに出力する。受信アンテナ２０は、室内に設置されるか、又はＴＭＣＣ信号処理部５０に内蔵され、可搬型のアンテナであることが好ましい。
【０１０１】
信号処理部５０ａは、図５に示した第２実施形態の信号処理部５０ａが相当し、同様の構成及び機能を有するため、詳細な説明は省略する。
【０１０２】
電源２８は、信号処理部５０ａ及び電源スイッチ制御信号送信部２９に電力を供給する。電源２８としては、家庭用の商用電源を用いることもできるが、１次電池又は２次電池などの可搬型のバッテリを用いることが好ましい。
【０１０３】
電源スイッチ制御信号送信部（起動信号送信手段）２９は、電源２８から電力の供給を受け、信号処理部５０ａから入力される電源スイッチ制御信号（起動信号）を、その制御対象である電源スイッチ４を備えた受信装置６０に対して送信する送信手段である。受信装置６０は、後記するように、電源スイッチ制御信号受信部（起動信号受信手段）１４によって、この電源スイッチ制御信号を受信する。
【０１０４】
電源スイッチ制御信号の送受信は、電源スイッチ制御信号送信部２９と電源スイッチ制御信号受信部１４との間を、電線や光ケーブルなどの信号線を接続して行ってもよく、赤外線、電波、超音波などを用いた無線通信手段を用いてもよい。電源スイッチ制御信号送信部２９は、採用する通信方式に応じた送信手段を用いることができる。
【０１０５】
受信装置６０は、受信アンテナ８と、受信機（電気機器）６と、電源スイッチ４と、電源スイッチ制御信号受信部（起動信号受信手段）１４と、から構成され、電源１０から電力を供給されるように構成されている。
【０１０６】
受信アンテナ８と受信機６とは、図２に示した第１実施形態と同様であるので、説明は省略する。
電源１０は、受信装置６０の電源スイッチ制御信号受信部１４に電力を供給すると共に、電源スイッチ４を介して受信機６に電力を供給する。電源１０は、例えば、家庭用の商用電源を用いることができる。
【０１０７】
電源スイッチ制御信号受信部（起動信号受信手段）１４は、電源１０から常時電力の供給を受け、ＴＭＣＣ信号処理部５０の電源スイッチ制御信号送信部２９から送信される電源スイッチ制御信号を受信し、受信した電源スイッチ制御信号を電源スイッチ４に出力する。
電源スイッチ制御信号受信部１４は、前記したＴＭＣＣ信号処理部５０の電源スイッチ制御信号送信部２９と対をなす受信手段であり、採用する通信方式に応じた受信手段を用いることができる。
【０１０８】
電源スイッチ４は、電源スイッチ制御信号受信部１４から入力される電源スイッチ制御信号にしたがって、電源１０から受信機６への電力の供給のオン・オフの切り替えを行う。
【０１０９】
（動作）
次に、第４実施形態の地上デジタル放送受信システム１の動作について説明する。
第１実施形態又は第２実施形態の地上デジタル放送受信システム１とは、ＴＭＣＣ信号処理部５０で生成した電源スイッチ制御信号を、受信機６の電源のオン・オフを行う電源スイッチ４に対して出力する際に、電源スイッチ制御信号送信部２９及び電源スイッチ制御信号受信部１４を介することが異なる以外は同様であるので、詳細な説明は省略する。
【０１１０】
このように構成することで、第４実施形態の地上デジタル放送受信システム１は、受信機６が視聴可能に再生する放送を視聴すべきヒトＨが、その受信機６と離れた場所にいる場合であっても、そのヒトＨの近傍に設置され、あるいはそのヒトＨに携帯されたＴＭＣＣ信号処理部５０のヒト検出装置２によって適切にヒト検出が行われ、離れた場所に設置された受信機６の電源を自動的に投入し、受信機６を起動して視聴可能に放送を再生することができる。
【０１１１】
（第５実施形態）
（構成）
次に、図８を参照して、第５実施形態の地上デジタル放送受信システム（電気機器システム）１の構成について説明する。ここで、図８は、第５実施形態の地上デジタル放送受信システムの構成を示すブロック図である。
【０１１２】
図８に示すように、地上デジタル放送受信システム１は、受信アンテナ２０を備えたＴＭＣＣ信号処理部（電気機器起動装置）５０と、受信アンテナ８を備えた受信機（電気機器）６と、電源スイッチ４と、電源１０と、発光・バイブレーション装置（通報手段）１６と、スイッチ１６ａと、から構成されている。
【０１１３】
図８に示した第５実施形態の地上デジタル放送受信システム１は、図１に示した第１実施形態の地上デジタル放送受信システム１とは、発光・バイブレーション装置１６が、スイッチ１６ａを介して電源スイッチ４の下流側に付加されていることが異なる。
他の構成要素は、図１に示した地上デジタル放送受信システム１と同様であるので、同じ符号を付して、説明を適宜省略する。
【０１１４】
図８に示した地上デジタル放送受信システム１は、電源スイッチ４のオン・オフに連動して電力の供給が制御される発光・バイブレーション装置１６を追加し、受信機６に自動的に電源が投入されたときに、受信機６が再生する音声や映像だけでなく、フラッシュ発光や振動などを利用して、視覚・聴覚に障害がある人などへ受信機６が自動起動したことを伝えることができるようにするものである。
【０１１５】
発光・バイブレーション装置（通報手段）１６は、スイッチ１６ａを介して、電源スイッチ４の下流側に接続されており、フラッシュ発光などの発光手段又はバイブレーション装置（加振手段）の少なくとも一方を備えている。スイッチ１６ａは、必要に応じて、発光・バイブレーション装置１６の機能をオン・オフするためのスイッチである。
【０１１６】
第５実施形態のＴＭＣＣ信号処理部５０としては、例えば、図２に示した第１実施形態のＴＭＣＣ信号処理部５０、図５に示した第２実施形態のＴＭＣＣ信号処理部５０などを用いることができる。
また、ＴＭＣＣ信号処理部５０と受信機６とは、図６に示した第３実施形態の地上デジタル放送受信システム１のように一体化してもよいし、図７に示した第４実施形態の地上デジタル放送受信システム１のように分離した構成としてもよい。さらに、発光・バイブレーション装置１６と受信機６とを分離してもよく、発光・バイブレーション装置１６をＴＭＣＣ信号処理部５０と一体化するようにしてもよい。
【０１１７】
（動作）
次に、第５実施形態のＴＭＣＣ信号処理部５０を用いた地上デジタル放送受信システム１の動作について説明する。
【０１１８】
発光・バイブレーション装置１６は、スイッチ１６ａがオンに設定されている場合は、電源スイッチ４がオン状態になると、電力が供給され、フラッシュ発光又は／及び振動を発生して、受信機６が自動的に起動したことを通報する。
一方、スイッチ１６ａがオフに設定されている場合は、電源スイッチ４がオン状態になっても、発光・バイブレーション装置１６には電力が供給されず、フラッシュ発光も振動も発生しない。この場合は、受信機６が自動的に起動するだけである。
【０１１９】
なお、その他の動作は、図１に示した第１実施形態の地上デジタル放送受信システム１などと同様であるので、説明は省略する。
【０１２０】
このように、第５実施形態の地上デジタル放送受信システム１は、受信機６が自動的に起動したことを発光フラッシュ又は振動によって通報するため、視覚・聴覚に障害がある人にも緊急警報放送を受信したことを確実に知らせることができる。
【図面の簡単な説明】
【０１２１】
【図１】本発明による電気機器システムの第１実施形態である地上デジタル放送受信システムの構成を示すブロック図である。
【図２】第１実施形態にかかるＴＭＣＣ信号処理部の構成を説明するための図であり、（ａ）はブロック図、（ｂ）は近傍にヒトが存在しない場合のレベル検出部の出力例、（ｃ）は近傍にヒトが存在する場合のレベル検出部の出力例を示す。
【図３】第１実施形態にかかるヒト検出装置のＴＭＣＣ信号検出部、レベル検出部、レベル変化検出部及びヒト検出判定部の構成を示すブロック図である。
【図４】第１実施形態にかかるヒト検出装置のレベル検出部が検出した信号レベルの変化の様子を示したグラフである。
【図５】第２実施形態にかかるＴＭＣＣ信号処理部の構成を説明するための図であり、（ａ）はブロック図、（ｂ）は近傍にヒトが存在しない場合のレベル検出部の出力例、（ｃ）は近傍にヒトが存在する場合のレベル検出部の出力例を示す。
【図６】第３実施形態の地上デジタル放送受信システムの構成を示すブロック図である。
【図７】第４実施形態の地上デジタル放送受信システムの構成を示すブロック図である。
【図８】第５実施形態の地上デジタル放送受信システムの構成を示すブロック図である。
【図９】ＴＭＣＣ信号のビット構成を示す図である。
【図１０】第１実施形態の地上デジタル放送受信システムの処理の流れを示すフローチャートである。
【図１１】第１実施形態のヒト検出装置の処理の流れを示すフローチャートである。
【図１２】第２実施形態のＴＭＣＣ信号処理部を用いた地上デジタル放送受信システムの処理の流れを示すフローチャートである。
【符号の説明】
【０１２２】
１      地上デジタル放送受信システム（電気機器システム）
２      ヒト検出装置（ヒト検出手段）
３      緊急警報放送検出部（緊急警報信号検出手段）
４      電源スイッチ
６      受信機（電気機器）
８      受信アンテナ
１０    電源
１４    電源スイッチ制御信号受信部（起動信号受信手段）
１６    発光・バイブレーション装置（通報手段）
２０    受信アンテナ
２１    チューナ（選局手段）
２２    ＴＭＣＣ信号検出部（伝送制御信号検出手段）
２３    レベル検出部（レベル検出手段）
２４    レベル変化検出部（レベル変化検出手段）
２５    ヒト検出判定部（ヒト検出判定手段）
２６    タイマ（間欠制御手段）
２７    内部電源スイッチ（内部スイッチ）
２９    電源スイッチ制御信号送信部（起動信号送信手段）
３０    電源スイッチ制御信号生成部（起動信号生成手段）
３１    タイマ
【図１】
2008072286.tif 000003
【図２】
2008072286.tif 000004
【図３】
2008072286.tif 000005
【図４】
2008072286.tif 000006
【図５】
2008072286.tif 000007
【図６】
2008072286.tif 000008
【図７】
2008072286.tif 000009
【図８】
2008072286.tif 000010
【図９】
2008072286.tif 000011
【図１０】
2008072286.tif 000012
【図１１】
2008072286.tif 000013
【図１２】
2008072286.tif 000014